【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
力覚エフェクトをオーサリングおよびレンダリングする方法であって、前記方法は、
力覚トラックおよびビデオテクスチャマップを受信するステップであって、前記力覚トラックは、力覚データを有し、前記力覚データは、力覚アクチュエータの動作を定義し、前記ビデオテクスチャマップは、ビデオの少なくとも1つのフレームを表し、前記力覚トラックは、前記ビデオの前記少なくとも1つのフレームに関連付けられており、前記ビデオテクスチャマップは、複数のビデオピクセルを有する、ステップと、
力覚ピクセルに関連付けられた力覚データ修飾子を生成するステップであって、各力覚ピクセルは、少なくとも1つの前記ビデオピクセルに関連付けられており、前記力覚データ修飾子は、前記力覚データの少なくとも一部を修正するとともに前記力覚アクチュエータの動作を修正するためのものである、ステップと、
前記力覚トラックおよび前記力覚ピクセルに基づいて前記力覚アクチュエータを制御するステップと、
前記力覚アクチュエータによって、ユーザのための前記力覚エフェクトを生成するステップとを含む、方法。
【請求項２】
前記力覚ピクセルおよび前記力覚ピクセルに関連付けられた前記力覚データ修飾子を含む力覚テクスチャマップを生成するステップをさらに含む、請求項1に記載の方法。
【請求項３】
前記力覚テクスチャマップは、前記ビデオテクスチャマップの空間分解能とは異なる空間分解能を有する、請求項2に記載の方法。
【請求項４】
前記力覚テクスチャマップは、前記ビデオテクスチャマップの時間分解能とは異なる時間分解能を有する、請求項2に記載の方法。
【請求項５】
前記力覚テクスチャマップを表示するステップと、
少なくとも1つの力覚エフェクトパラメータのユーザ入力を受信するステップと、
前記少なくとも1つの力覚エフェクトパラメータの前記ユーザ入力を表す修正後の力覚テクスチャマップを表示するステップとをさらに含む、請求項2に記載の方法。
【請求項６】
コンピュータデバイス内の表示スクリーン上に前記力覚テクスチャマップを表示するステップをさらに含む、請求項2に記載の方法。
【請求項７】
前記力覚テクスチャマップは、前記力覚データ修飾子を表す単色画像を含む、請求項6に記載の方法。
【請求項８】
前記単色画像の前記力覚ピクセルの少なくとも一部は、異なる力覚データ修飾子を表す異なる値を有する、請求項7に記載の方法。
【請求項９】
前記力覚データ修飾子は、前記力覚トラック内の前記力覚データによって定義された力覚エフェクトの大きさを調整するための減衰データを含む、請求項1に記載の方法。
【請求項１０】
前記力覚データ修飾子は、前記力覚トラック内の前記力覚データによって定義された力覚エフェクトの周波数、波形、シャープネス、およびアクチュエータ選択のうちの少なくとも1つを調整するための減衰データを含む、請求項1に記載の方法。
【請求項１１】
前記ビデオは、360度ビデオ、バーチャルリアリティ環境、3次元ビデオ、3次元ビデオゲーム、3次元モデリング環境、およびその組合せからなるグループから選択される、請求項1に記載の方法。
【請求項１２】
前記ビデオは、複数のフレームを含み、前記力覚トラックおよび前記ビデオテクスチャマップを受信するステップと、前記力覚データ修飾子を生成するステップとは、前記ビデオ内の複数のフレームの少なくとも一部のために繰り返される、請求項1に記載の方法。
【請求項１３】
前記力覚ピクセルの各々は、2つ以上の前記ビデオピクセルに関連付けられている、請求項1に記載の方法。
【請求項１４】
2つ以上の前記力覚ピクセルは、前記ビデオピクセルの各々に関連付けられている、請求項1に記載の方法。
【請求項１５】
力覚トラックおよびビデオテクスチャマップを受信するステップは、
複数の力覚トラックおよびビデオテクスチャマップを受信するステップであって、各力覚トラックは、力覚データを有し、前記ビデオテクスチャマップは、ビデオのフレームを表し、前記複数の力覚トラックは、前記ビデオの前記フレームに関連付けられており、前記ビデオテクスチャマップは、複数のビデオピクセルを有する、ステップを含み、
前記力覚データ修飾子は、前記複数の力覚トラックの前記力覚データの少なくとも一部を修正するように構成される、請求項1に記載の方法。
【請求項１６】
前記力覚データ修飾子に基づいて前記力覚データの少なくとも一部を修正するステップをさらに含む、請求項1に記載の方法。
【請求項１７】
力覚エフェクトをオーサリングおよびレンダリングするためのシステムであって、前記システムは、
ネットワークに接続された、力覚エフェクトオーサリングデバイスであって、
力覚トラックおよびビデオテクスチャマップを受信することであって、前記力覚トラックは、力覚データを有し、前記力覚データは、力覚アクチュエータの動作を定義し、前記ビデオテクスチャマップは、ビデオの少なくとも1つのフレームを表し、前記力覚トラックは、前記ビデオの前記フレームに関連付けられており、前記ビデオテクスチャマップは、複数のビデオピクセルを有する、受信することと、
力覚ピクセルに関連付けられた力覚データ修飾子を生成することであって、各力覚ピクセルは、少なくとも1つの前記ビデオピクセルに関連付けられており、前記力覚データ修飾子は、前記力覚データの少なくとも一部を修正するとともに前記力覚アクチュエータの動作を修正するためのものである、生成することと
をするように構成されるプロセッサを備える、力覚エフェクトオーサリングデバイスと、
前記ネットワークに接続された、力覚対応デバイスであって、
前記力覚アクチュエータと、前記力覚トラックおよび前記力覚ピクセルに基づいて前記力覚アクチュエータを制御するように構成されるプロセッサとを備え、前記力覚アクチュエータは、ユーザのための前記力覚エフェクトを生成する、力覚対応デバイスと
を備える、システム。
【請求項１８】
前記力覚エフェクトオーサリングデバイスは、
ユーザ入力を受信するように構成される、入力デバイスと、
表示デバイスとをさらに備え、
前記ソフトウェア命令は、前記装置に
前記表示デバイスを使用して力覚テクスチャマップを表示することであって、前記力覚テクスチャマップは、前記力覚ピクセルおよび前記力覚ピクセルに関連付けられた前記力覚データ修飾子を含む、表示することをさらにさせる、請求項17に記載のシステム。
【請求項１９】
前記力覚テクスチャマップは、前記ビデオテクスチャマップの空間分解能とは異なる空間分解能を有する、請求項18に記載のシステム。
【請求項２０】
前記力覚テクスチャマップは、前記ビデオテクスチャマップの時間分解能とは異なる時間分解能を有する、請求項18に記載のシステム。
【請求項２１】
前記力覚エフェクトオーサリングデバイスの前記プロセッサは、
前記入力デバイスを介して少なくとも1つの力覚エフェクトパラメータのユーザ入力を受信することと、
前記表示デバイスを介して修正後の力覚テクスチャマップを表示することであって、前記修正後の力覚テクスチャマップは、前記少なくとも1つの力覚エフェクトパラメータの前記ユーザ入力を表す、表示することとをするようにさらに構成される、請求項18に記載のシステム。
【請求項２２】
前記力覚テクスチャマップは、前記力覚データ修飾子を表す単色画像を含む、請求項18に記載のシステム。
【請求項２３】
前記画像の前記力覚ピクセルの少なくとも一部は、異なる力覚データ修飾子を表す異なる値を有する、請求項22に記載のシステム。
【請求項２４】
前記力覚データ修飾子は、前記力覚トラック内の前記力覚データによって定義された力覚エフェクトの大きさを調整するための減衰データを含む、請求項17に記載のシステム。
【請求項２５】
前記力覚データ修飾子は、前記力覚トラック内の前記力覚データによって定義された力覚エフェクトの周波数、波形、シャープネス、およびアクチュエータ選択のうちの少なくとも1つを調整するための減衰データを含む、請求項17に記載のシステム。
【請求項２６】
前記ビデオは、360度ビデオ、バーチャルリアリティ環境、3次元ビデオ、3次元ビデオゲーム、3次元モデリング環境、およびその組合せからなるグループから選択される、請求項17に記載のシステム。
【請求項２７】
前記ビデオは、複数のフレームを含み、前記力覚トラックおよび前記ビデオテクスチャマップを受信することと、前記力覚データ修飾子を生成することとは、前記ビデオ内の複数のフレームの少なくとも一部のために繰り返される、請求項17に記載のシステム。
【請求項２８】
前記力覚ピクセルの各々は、2つ以上の前記ビデオピクセルに関連付けられている、請求項17に記載のシステム。
【請求項２９】
2つ以上の前記力覚ピクセルは、前記ビデオピクセルの各々に関連付けられている、請求項17に記載のシステム。
【請求項３０】
前記力覚エフェクトオーサリングデバイスの前記プロセッサは、
複数の力覚トラックおよび前記ビデオテクスチャマップを受信することであって、各力覚トラックは、力覚データを有し、前記複数の力覚トラックは、前記ビデオの前記少なくとも1つのフレームに関連付けられている、受信するようにさらに構成され、
前記力覚データ修飾子は、前記複数の力覚トラックの前記力覚データの少なくとも一部を修正するように構成される、請求項17に記載のシステム。
【請求項３１】
力覚エフェクトをレンダリングする方法であって、前記方法は、
力覚データを含む力覚トラックを受信するステップであって、前記力覚データは、力覚アクチュエータの動作を定義する、ステップと、
力覚データ修飾子を含む複数の力覚ピクセルを受信するステップであって、各力覚ピクセルは、少なくとも1つのビデオピクセルに関連付けられており、前記少なくとも1つのビデオピクセルは、ビデオの少なくとも1つのフレームを表すビデオテクスチャマップに含まれる、ステップと、
前記ビデオの前記フレーム内の関心地点を特定するステップであって、前記関心地点は、前記ビデオの前記フレーム内のターゲットビデオピクセルを含む、ステップと、
前記力覚ピクセルのうちのターゲット力覚ピクセルを決定するステップであって、前記ターゲット力覚ピクセルは、前記ビデオの前記フレーム内の前記ターゲットビデオピクセルに対応する、ステップと、
前記ターゲット力覚ピクセルに含まれるターゲット力覚データ修飾子を取得するステップと、
前記ターゲット力覚データ修飾子に基づいて前記力覚トラック内の前記力覚データを修正するステップと、
修正後の前記力覚データに基づいて力覚アクチュエータの動作を制御するステップと、
前記力覚アクチュエータによって、ユーザのための前記力覚エフェクトを生成するステップとを含む、方法。
【請求項３２】
前記力覚トラックは、前記力覚ピクセルが前記力覚データおよび前記力覚データ修飾子を含むように、前記力覚ピクセルにおいて符号化される、請求項31に記載の方法。
【請求項３３】
前記力覚トラックを前記ビデオと同期させるステップをさらに含む、請求項31に記載の方法。
【請求項３４】
前記力覚トラックを前記ビデオと同期させるステップは、
前記ビデオのタイムスタンプを受信するステップと、
前記タイムスタンプに基づいて前記力覚トラックを前記ビデオと同期させるステップとを含む、請求項33に記載の方法。
【請求項３５】
前記関心地点は、3次元ベクトルによって定義され、ターゲット力覚ピクセルを決定するステップは、
前記3次元ベクトルを前記ターゲット力覚ピクセルに関連付けるステップを含む、請求項31に記載の方法。
【請求項３６】
前記3次元ベクトルを関連付けるステップは、
前記3次元ベクトルを前記ビデオの前記フレームに対応する前記ビデオテクスチャマップ内のビデオピクセルに関連付けるステップと、
前記ビデオテクスチャマップ内の前記ビデオピクセルに対応する前記ターゲット力覚ピクセルを特定するステップとを含む、請求項35に記載の方法。
【請求項３７】
前記3次元ベクトルを前記ターゲット力覚ピクセルに関連付けるステップは、
前記3次元ベクトルと前記ビデオテクスチャマップの球面射影との間の交点を決定するステップと、
前記ビデオテクスチャマップ内の前記ターゲットビデオピクセルとして前記交点を特定するステップと、
前記ターゲットビデオピクセルに基づいて前記ターゲット力覚ピクセルを決定するステップとを含む、請求項35に記載の方法。
【請求項３８】
前記3次元ベクトルを前記ターゲット力覚ピクセルに関連付けるステップは、
前記3次元ベクトルと前記ビデオテクスチャマップの非球面射影との間の交点を決定するステップと、
前記ビデオテクスチャマップ内の前記ターゲットビデオピクセルとして前記交点を特定するステップと、
前記ターゲットビデオピクセルに基づいて前記ターゲット力覚ピクセルを決定するステップとを含む、請求項35に記載の方法。
【請求項３９】
表示デバイスを使用して前記ビデオを再生するステップをさらに含む、請求項31に記載の方法。
【請求項４０】
力覚エフェクトをレンダリングするための装置であって、前記装置は、
アクチュエータと、
前記アクチュエータを動作するように構成される、アクチュエータドライブ回路と、
関心地点を検出するように構成される、センサと、
前記アクチュエータドライブ回路および前記センサに接続される、処理デバイスとを備え、前記プロセッサは、
力覚データを含む力覚トラックを受信することであって、前記力覚データは、力覚アクチュエータの動作を定義する、受信することと、
力覚データ修飾子を含む複数の力覚ピクセルを受信することであって、各力覚ピクセルは、少なくとも1つのビデオピクセルに関連付けられており、前記少なくとも1つのビデオピクセルは、ビデオのフレームを表すビデオテクスチャマップに含まれる、受信することと、
前記センサを使用して、前記ビデオの前記フレーム内の関心地点を特定することであって、前記関心地点は、前記ビデオの前記フレーム内のターゲットビデオピクセルを含む、特定することと、
前記力覚ピクセルのうちのターゲット力覚ピクセルを決定することであって、前記ターゲット力覚ピクセルは、前記ビデオの前記フレーム内の前記ターゲットビデオピクセルに対応する、決定することと、
前記ターゲット力覚ピクセルに含まれるターゲット力覚データ修飾子を取得することと、
前記ターゲット力覚データ修飾子に基づいて前記力覚トラック内の前記力覚データを修正することと、
修正後の前記力覚データに基づいて制御信号を生成することと、
前記制御信号を前記アクチュエータドライブ回路に送信することであって、前記制御信号は、前記アクチュエータドライブ回路が前記アクチュエータを制御することを可能にする、送信することと
をするように構成され、
前記力覚アクチュエータは、ユーザのための前記力覚エフェクトを生成する、装置。
【請求項４１】
前記力覚トラックは、前記力覚ピクセルが前記力覚データおよび前記力覚データ修飾子を含むように、前記力覚ピクセルにおいて符号化される、請求項40に記載の装置。
【請求項４２】
前記プロセッサに接続される、表示デバイスであって、前記プロセッサは、前記ビデオを表示するようにさらに構成される、表示デバイスをさらに備える、請求項40に記載の装置。
【請求項４３】
前記プロセッサは、
前記力覚トラックを前記ビデオと同期させるようにさらに構成される、請求項40に記載の装置。
【請求項４４】
前記プロセッサは、
前記ビデオのタイムスタンプを受信することと、
前記タイムスタンプに基づいて前記力覚トラックを前記ビデオと同期させることとをするようにさらに構成される、請求項43に記載の装置。
【請求項４５】
前記関心地点は、3次元ベクトルによって定義され、前記プロセッサは、
前記3次元ベクトルを前記ターゲット力覚ピクセルに関連付けるようにさらに構成される、請求項40に記載の装置。
【請求項４６】
前記プロセッサは、
前記3次元ベクトルを前記ビデオの前記フレームに対応する前記ビデオテクスチャマップ内のビデオピクセルに関連付けることと、
前記ビデオテクスチャマップ内の前記ビデオピクセルに対応する前記ターゲット力覚ピクセルを特定することとをするようにさらに構成される、請求項45に記載の装置。
【請求項４７】
前記プロセッサは、
前記3次元ベクトルと前記ビデオテクスチャマップの球面射影との間の交点を決定することと、
前記ビデオテクスチャマップ内の前記ターゲットビデオピクセルとして前記交点を特定することと、
前記ターゲットビデオピクセルに基づいて前記ターゲット力覚ピクセルを決定することとをするようにさらに構成される、請求項45に記載の装置。
【請求項４８】
前記プロセッサは、
前記3次元ベクトルと前記ビデオテクスチャマップの非球面射影との間の交点を決定することと、
前記ビデオテクスチャマップ内の前記ターゲットビデオピクセルとして前記交点を特定することと、
前記ターゲットビデオピクセルに基づいて前記ターゲット力覚ピクセルを決定することとをするようにさらに構成される、請求項45に記載の装置。
【請求項４９】
前記プロセッサは、
表示デバイスを使用して前記ビデオを再生するようにさらに構成される、請求項40に記載の装置。
【請求項５０】
力覚エフェクトをレンダリングする方法であって、前記方法は、
複数の力覚ピクセルを受信するステップであって、各力覚ピクセルは、少なくとも1つのビデオピクセルに関連付けられるとともに力覚データを含み、前記力覚データは、力覚アクチュエータの動作を定義し、前記少なくとも1つのビデオピクセルは、ビデオの少なくとも1つのフレームを表すビデオテクスチャマップに含まれる、ステップと、
前記ビデオの前記少なくとも1つのフレーム内の関心地点を特定するステップであって、前記関心地点は、前記ビデオの前記少なくとも1つのフレーム内のターゲットビデオピクセルを含む、ステップと、
前記力覚ピクセルのうちのターゲット力覚ピクセルを決定するステップであって、前記ターゲット力覚ピクセルは、前記ビデオの前記少なくとも1つのフレーム内の前記ターゲットビデオピクセルに対応する、ステップと、
前記ターゲット力覚ピクセルに含まれるターゲット力覚データを取得するステップと、
前記ターゲット力覚データに基づいて力覚アクチュエータの動作を制御するステップと、
前記力覚アクチュエータによって、ユーザのための前記力覚エフェクトを生成するステップとを含む、方法。
【請求項５１】
力覚エフェクトをレンダリングするための装置であって、前記装置は、
アクチュエータと、
前記アクチュエータを動作するように構成される、アクチュエータドライブ回路と、
関心地点を検出するように構成される、センサと、
前記アクチュエータドライブ回路および前記センサに接続される、処理デバイスとを備え、前記プロセッサは、
複数の力覚ピクセルを受信することであって、各力覚ピクセルは、少なくとも1つのビデオピクセルに関連付けられるとともに力覚データを含み、前記力覚データは、力覚アクチュエータの動作を定義し、ビデオテクスチャマップに含まれる前記少なくとも1つのビデオピクセルは、ビデオのフレームを表す、受信することと、
前記ビデオの前記フレーム内の関心地点を特定することであって、前記関心地点は、前記ビデオの前記フレーム内のターゲットビデオピクセルを含む、特定することと、
前記力覚ピクセルのうちのターゲット力覚ピクセルを決定することであって、前記ターゲット力覚ピクセルは、前記ビデオの前記フレーム内の前記ターゲットビデオピクセルに対応する、決定することと、
前記ターゲット力覚ピクセルに含まれるターゲット力覚データを取得することと、
前記ターゲット力覚データに基づいて制御信号を生成することと、
前記制御信号を前記アクチュエータドライブ回路に送信することであって、前記制御信号は、前記アクチュエータドライブ回路が前記アクチュエータを制御することを可能にする、送信することと
をするように構成され、
前記力覚アクチュエータは、ユーザのための前記力覚エフェクトを生成する、装置。
【請求項５２】
力覚エフェクトをオーサリングおよびレンダリングする方法であって、前記方法は、
力覚トラックと、少なくとも1つのビデオフレームを表すビデオテクスチャマップとを受信するステップであって、前記力覚トラックは、力覚出力デバイスの動作を定義する力覚データを含み、前記ビデオテクスチャマップは、ビデオピクセルを含む、ステップと、
力覚ピクセルに関連付けられた力覚データ修飾子を生成するステップであって、各力覚ピクセルは、少なくとも1つのビデオピクセルに関連付けられている、ステップと、
修正後の力覚データを生成するために前記力覚データ修飾子に基づいて前記力覚データの少なくとも一部を修正するステップと、
前記修正後の力覚データに基づいて前記力覚出力デバイスの前記動作を修正するステップとを含む、方法。
【請求項５３】
少なくとも1つの力覚ピクセルは、各ビデオピクセルに関連付けられている、請求項52に記載の方法。
【請求項５４】
前記力覚ピクセルおよび前記力覚ピクセルに関連付けられた前記力覚データ修飾子を含む力覚テクスチャマップを生成するステップをさらに含む、請求項52に記載の方法。
【請求項５５】
前記ビデオテクスチャマップは、時間分解能および空間分解能を含み、前記力覚テクスチャマップは、時間分解能および空間分解能を含む、請求項54に記載の方法。
【請求項５６】
前記力覚テクスチャマップの前記時間分解能は、前記ビデオテクスチャマップの前記時間分解能とは異なる、請求項55に記載の方法。
【請求項５７】
前記力覚テクスチャマップの前記空間分解能は、前記ビデオテクスチャマップの前記空間分解能とは異なる、請求項55に記載の方法。
【請求項５８】
前記力覚テクスチャマップは、単色画像であり、各力覚ピクセルは、関連力覚データ修飾子を表す値を有する、請求項54に記載の方法。
【請求項５９】
前記力覚テクスチャマップは、カラー画像であり、各力覚ピクセルは、複数の関連力覚データ修飾子を表す複数の値を有する、請求項54に記載の方法。
【請求項６０】
前記力覚データ修飾子は、前記力覚トラック内の前記力覚データによって定義された力覚エフェクトの大きさを調整するための減衰データを含む、請求項52に記載の方法。
【請求項６１】
前記力覚データ修飾子は、前記力覚トラック内の前記力覚データによって定義された力覚エフェクトの周波数、波形、シャープネス、およびアクチュエータ選択のうちの少なくとも1つを調整するための減衰データを含む、請求項52に記載の方法。
【請求項６２】
力覚エフェクトをオーサリングおよびレンダリングするためのシステムであって、前記システムは、
ネットワークに接続された、力覚エフェクトオーサリングデバイスであって、
力覚トラックと、少なくとも1つのビデオフレームを表すビデオテクスチャマップとを受信することであって、前記力覚トラックは、力覚出力デバイスの動作を定義する力覚データを含み、前記ビデオテクスチャマップは、ビデオピクセルを含む、受信することと、
力覚ピクセルに関連付けられた力覚データ修飾子を生成することであって、各力覚ピクセルは、少なくとも1つのビデオピクセルに関連付けられている、生成することと
をするように構成されるプロセッサを備える、力覚エフェクトオーサリングデバイスと、
前記ネットワークに接続された、力覚対応デバイスであって、前記力覚出力デバイスと、
修正後の力覚データを生成するために前記力覚データ修飾子に基づいて前記力覚データの少なくとも一部を修正することと、
前記修正後の力覚データに基づいて前記力覚出力デバイスの前記動作を修正することと
をするように構成されるプロセッサとを備える、力覚対応デバイスとを備える、システム。
【請求項６３】
少なくとも1つの力覚ピクセルは、各ビデオピクセルに関連付けられている、請求項62に記載のシステム。
【請求項６４】
前記力覚エフェクトオーサリングデバイスの前記プロセッサは、
前記力覚ピクセルおよび前記力覚ピクセルに関連付けられた前記力覚データ修飾子を含む力覚テクスチャマップを生成するように構成される、請求項62に記載のシステム。
【請求項６５】
前記ビデオテクスチャマップは、時間分解能および空間分解能を含み、前記力覚テクスチャマップは、時間分解能および空間分解能を含む、請求項64に記載のシステム。
【請求項６６】
前記力覚テクスチャマップの前記時間分解能は、前記ビデオテクスチャマップの前記時間分解能とは異なる、請求項65に記載のシステム。
【請求項６７】
前記力覚テクスチャマップの前記空間分解能は、前記ビデオテクスチャマップの前記空間分解能とは異なる、請求項65に記載のシステム。
【請求項６８】
前記力覚テクスチャマップは、単色画像であり、各力覚ピクセルは、関連力覚データ修飾子を表す値を有する、請求項64に記載のシステム。
【請求項６９】
前記力覚テクスチャマップは、カラー画像であり、各力覚ピクセルは、複数の関連力覚データ修飾子を表す複数の値を有する、請求項64に記載のシステム。
【請求項７０】
前記力覚データ修飾子は、前記力覚トラック内の前記力覚データによって定義された力覚エフェクトの大きさを調整するための減衰データを含む、請求項62に記載のシステム。
【請求項７１】
前記力覚データ修飾子は、前記力覚トラック内の前記力覚データによって定義された力覚エフェクトの周波数、波形、シャープネス、およびアクチュエータ選択のうちの少なくとも1つを調整するための減衰データを含む、請求項62に記載のシステム。